(57)【要約】【課題】取引予約後に第３者によって不正に現金が引出されてしまうことを防止する手段を提供する。【解決手段】顧客の携帯電話と、携帯電話と通信可能な受信サーバーと、顧客との取引を実行する現金自動預払機と、受信サーバーおよび現金自動預払機と接続する生体認証サーバーと、受信サーバーおよび現金自動預払機と接続する取引情報サーバーとを備え、携帯電話から送信された生体情報と取引情報とを受信サーバーが受信し、この受信のときに採番した取引ＩＤと生体情報とを生体認証サーバーに送信して記憶させ、取引ＩＤと取引情報とを取引情報サーバーに送信して記憶させておき、現金自動預払機が顧客から顧客確認のための生体情報だけを取得してその生体情報を生体認証サーバーに送ってその生体情報に関連づけられた取引ＩＤを取得し、この取引ＩＤを取引情報サーバーに送って取引ＩＤに関連づけられた取引情報を取得し、この取引情報に従って取引処理を実行する。【選択図】        図１
2007052687.tif 000002
【特許請求の範囲】
【請求項１】
顧客の携帯端末と、該携帯端末と通信可能に構成された受信サーバーと、顧客との取引を実行する自動取引装置と、前記受信サーバーおよび前記自動取引装置と接続する生体認証サーバーと、前記受信サーバーおよび前記自動取引装置と接続する取引情報サーバーとを備え、
前記携帯端末は、前記取引の取引情報を入力する手段と、
顧客の身体的特徴を示す生体情報を取得する手段と、
前記入力された取引情報と取得した生体情報とを前記受信サーバーへ送信する手段とを備え、
前記受信サーバーは、前記携帯端末からの前記取引情報と生体情報とを受信する手段と、
前記取引情報と生体情報とを受信したときに、取引ＩＤを採番する手段と、
該採番した取引ＩＤと前記受信した取引情報とを前記取引情報サーバーに送信する手段と、
前記採番した取引ＩＤと前記受信した生体情報とを前記生体認証サーバーに送信する手段とを備え、
前記生体認証サーバーは、前記受信サーバーからの前記生体情報と取引ＩＤとを受信する手段と、
該受信した生体情報と取引ＩＤとを関連させて記憶する手段と、
前記自動取引装置からの生体情報を受信する手段と、
該受信した生体情報をもとに前記記憶した生体情報を検索して該当する生体情報を抽出する手段と、
該抽出した生体情報に関連する取引ＩＤを前記自動取引装置に送信する手段とを備え、
前記取引情報サーバーは、前記受信サーバーからの前記取引情報と取引ＩＤとを受信する手段と、
該受信した取引情報と取引ＩＤとを関連させて記憶する手段と、
前記受信した取引情報をもとに、その取引の実行の可否情報を取得する手段と、
該取得した可否情報を前記取引ＩＤに関連させて記憶する手段と、
前記自動取引装置からの取引ＩＤを受信する手段と、
該受信した取引ＩＤをもとに前記記憶した取引ＩＤを検索して該当する取引ＩＤを抽出する手段と、
該抽出した取引ＩＤに関連する取引情報と可否情報とを前記自動取引装置に送信する手段とを備え、
前記自動取引装置は、顧客の生体情報を取得する手段と、
該取得した生体情報を前記生体認証サーバーに送信する手段と、
前記生体認証サーバーからの前記取引ＩＤを受信する手段と、
該受信した取引ＩＤを前記取引情報サーバーに送信する手段と、
前記取引情報サーバーからの前記取引情報と可否情報とを受信する手段とを備えることを特徴とする現金自動取引システム。
【請求項２】
請求項１において、
前記携帯端末は、顧客の取引カードの情報を格納する手段と、
該格納した取引カードの情報を前記取得した生体情報に添付して前記受信サーバーへ送信する手段とを備え、
前記受信サーバーは、前記携帯端末からの前記取引カードの情報を受信する手段と、
該受信した取引カードの情報を前記生体認証サーバーに送信する手段とを備え、
前記生体認証サーバーは、前記受信サーバーからの前記取引カードの情報を受信する手段と
該受信した取引カードの情報を前記受信サーバーから受信した生体情報と関連させて記憶する手段と、
前記自動取引装置からの生体情報に添付された取引カードの情報を受信する手段と、
該受信した取引カードの情報をもとに前記記憶した取引カードの情報を検索して該当する取引カードの情報に関連する生体情報を抽出する手段とを備え、
前記自動取引装置は、顧客が挿入した取引カードの情報を読み取る手段と、
該読み取った取引カードの情報を前記取得した生体情報に添付して前記生体認証サーバーに送信する手段とを備えることを特徴とする現金自動取引システム。
【請求項３】
請求項１または請求項２において、
前記生体認証サーバーは、前記生体情報を記憶する制限時間を格納する手段と、
前記生体情報を記憶してからの時間を計測する手段と、
該計測している時間と前記制限時間とを比較する手段と、
該比較の結果、前記計測した時間が前記制限時間に達したとき、前記生体情報を消去する手段とを備え、
前記取引情報サーバーは、前記取引情報を記憶する制限時間を格納する手段と、
前記取引情報を記憶してからの時間を計測する手段と、
該計測した時間と前記制限時間とを比較する手段と、
該比較の結果、前記計測した時間が前記制限時間に達したとき、前記取引情報を消去する手段とを備えることを特徴とする現金自動取引システム。
【請求項４】
顧客の携帯端末と、該携帯端末と通信可能に構成された受信サーバーと、顧客との取引を実行する自動取引装置と、前記受信サーバーおよび前記自動取引装置と接続する取引予約サーバーとを備え、
前記携帯端末は、前記取引の取引情報を入力する手段と、
顧客の身体的特徴を示す生体情報を取得する手段と、
前記入力された取引情報と取得した生体情報とを前記受信サーバーへ送信する手段とを備え、
前記受信サーバーは、前記携帯端末からの前記取引情報と生体情報とを受信する手段と、
該受信した取引情報と生体情報とを前記取引予約サーバーに送信する手段とを備え、
前記取引予約サーバーは、前記受信サーバーからの前記取引情報と生体情報とを受信する手段と、
該受信した取引情報と生体情報とを関連させて記憶する手段と、
前記受信した取引情報をもとに、その取引の実行の可否情報を取得する手段と、
該取得した可否情報を前記生体情報に関連させて記憶する手段と、
前記自動取引装置からの生体情報を受信する手段と、
該受信した生体情報をもとに前記記憶した生体情報を検索して該当する生体情報を抽出する手段と、
該抽出した生体情報に関連する前記取引情報と可否情報とを前記自動取引装置に送信する手段とを備え、
前記自動取引装置は、顧客の生体情報を取得する手段と、
該取得した生体情報を前記取引予約サーバーに送信する手段と、
前記取引予約サーバーからの前記取引情報と可否情報とを受信する手段とを備えることを特徴とする現金自動取引システム。
【請求項５】
請求項４において、
前記携帯端末は、顧客の取引カードの情報を格納する手段と、
該格納した取引カードの情報を前記入力された取引情報と前記取得した生体情報とに添付して前記受信サーバーへ送信する手段とを備え、
前記受信サーバーは、前記携帯端末からの前記取引カードの情報を受信する手段と、
該受信した取引カードの情報を前記取引予約サーバーに送信する手段とを備え、
前記取引予約サーバーは、前記受信サーバーからの前記取引カードの情報を受信する手段と、
該受信した取引カードの情報を前記受信サーバーから受信した生体情報と取引情報とに関連させて記憶する手段と、
前記自動取引装置からの生体情報に添付された取引カードの情報を受信する手段と、
該受信した取引カードの情報をもとに前記記憶した取引カードの情報を検索して該当する取引カードに関連する生体情報を抽出する手段とを備え、
前記自動取引装置は、顧客が挿入した取引カードの情報を読み取る手段と、
該読み取った取引カードの情報を前記取得した生体情報に添付して前記取引予約サーバーに送信する手段とを備えることを特徴とする現金自動取引システム。
【請求項６】
請求項４または請求項５において、
前記取引予約サーバーは、前記生体情報と前記取引情報とを記憶する制限時間を格納する手段と、
前記生体情報と取引情報とを記憶してからの時間を計測する手段と、
該計測している時間と前記制限時間とを比較する手段と、
該比較の結果、前記計測した時間が前記制限時間に達したとき、前記生体情報と取引情報を消去する手段とを備えることを特徴とする現金自動取引システム。
【請求項７】
請求項１から請求項５または請求項６において、
前記受信サーバーを、インターネット通信により前記携帯端末と通信を行うＷｅｂサーバーとしたことを特徴とする現金自動取引システム。
【請求項８】
顧客の身体的特徴を示す生体情報と取引ＩＤとを関連させて記憶する生体認証サーバーと、顧客の取引情報と該取引情報の取引実行の可否情報と取引ＩＤとを関連させて記憶する取引情報サーバーとに接続し、顧客との取引を実行する自動取引装置において、
顧客の生体情報を取得する手段と、
該取得した生体情報を前記生体認証サーバーに送って、前記取引ＩＤを取得する手段と、
該取得した取引ＩＤを前記取引情報サーバーに送って、前記取引情報と可否情報を取得する手段とを備えることを特徴とする自動取引装置。
【請求項９】
請求項８において、
顧客が挿入した取引カードの情報を読み取る手段と、
該読み取った取引カードの情報を前記取得した生体情報に添付して、前記関連させて記憶している内容に取引カードの情報を加えた生体認証サーバーに送る手段とを備えることを特徴とする自動取引装置。
【請求項１０】
顧客の身体的特徴を示す生体情報と顧客の取引情報と該取引情報の取引実行の可否情報とを関連させて記憶した取引予約サーバーに接続し、顧客との取引を実行する自動取引装置において、
顧客の生体情報を取得する手段と、
該取得した生体情報を前記取引予約サーバーに送って、前記取引情報と可否情報とを取得する手段とを備えることを特徴とする自動取引装置。
【請求項１１】
請求項１０において、
顧客が挿入した取引カードの情報を読み取る手段と、
該読み取った取引カードの情報を前記取得した生体情報に添付して、前記関連させて記憶している内容に取引カードの情報を加えた取引予約サーバーに送る手段とを備えることを特徴とする自動取引装置。
【発明の詳細な説明】
【技術分野】
【０００１】
本発明は、顧客との取引に使用する自動取引装置を備えた現金自動取引システムに関する。
【背景技術】
【０００２】
一般に現金自動取引システムにおける自動取引装置の主な取引処理は、取引内容の選択や取引カードの挿入、暗証番号の入力、取引内容の入力、ホストコンピュータとの通信、現金の入出金、通帳の記帳、取引明細票の発行等の処理によって行われる。しかし、ここで使用される自動取引装置は高額かつ設置スペースを必要とし、金融機関の店舗に設置できる台数に限度があるため、顧客１人当たりの取引時間の短縮が要求されている。
【０００３】
そのため、従来の現金自動取引システムは、取引予約のために顧客が携帯電話から送信した取引内容をホストコンピュータと接続した携帯入出金制御装置が受信して記憶し、その取引内容に対して取引番号とパスワードとを生成して携帯電話に送信し、顧客が金融機関の店舗で取引予約の内容の取引を行うために自動取引装置に取引番号やパスワード等を入力したときに、携帯入出金制御装置に記憶した取引内容に従って取引処理を実行している（例えば、特許文献１参照。）。
【０００４】
また、別の現金自動取引システムにおいては、顧客が携帯電話で送信した取引内容を取引情報記憶手段に記憶しておき、顧客が自動取引装置で取引を行うために暗証番号を入力すると取引情報記憶手段から取引内容を読み出し、読み出した取引内容に従って取引処理を実行している（例えば、特許文献２参照。）。
また、別の現金自動取引システムにおいては、顧客が携帯電話で取引を行う金融機関の店舗に電話をかけ、電話のガイダンスに従って携帯電話のテンキーを用いて入力することによって取引予約を行うと、主制御装置に取引内容と携帯電話の電話番号とが関連して記憶され、顧客が店舗で取引を行うときに携帯電話を自動取引装置の電話番号認識部に挿入すると、挿入された携帯電話から電話番号を認識し、これをもとに主制御装置が記憶している取引内容から該当する取引内容を検索し、抽出した取引内容に従って取引処理を実行している（例えば、特許文献３参照。）。
【特許文献１】特開２００３−１２３１２６号公報（第２頁段落００１５−第３頁段落００２１、第１図）
【特許文献２】特開平１０−１６２２４３号公報（第３頁段落００４３−第４頁段落００７０、第１図）
【特許文献３】特開２００１−１７５７８３号公報（第３頁段落００１３−第４頁段落００２１、第１図）
【発明の開示】
【発明が解決しようとする課題】
【０００５】
しかしながら、上述した特許文献１の技術においては、携帯電話に送信した取引番号とパスワードの入力が顧客確認の方法となっており、また上述した特許文献２の技術においては暗証番号の入力が顧客確認の方法となっているので、取引予約後に第３者によって取引番号とパスワードが入力されてしまった場合や暗証番号が入力された場合は、取引予約をした顧客に代わって不正に取引が行われて現金が引出されてしまうおそれがあるという問題がある。
【０００６】
また、上述した特許文献３の技術においては、携帯電話が自動取引装置の電話番号認識部に挿入されたときに取引内容に従って取引処理を実行するので、取引予約後に顧客が携帯電話を紛失したり盗まれたりした場合、その携帯電話を拾う等によって取得した第３者によって不正に取引が行われて現金が引出されてしまうという問題がある。
本発明は、上記の問題点を解決するためになされたもので、取引予約後に第３者によって不正に現金が引出されてしまうことを防止する手段を提供することを目的とする。
【課題を解決するための手段】
【０００７】
本発明は、上記課題を解決するために、顧客の携帯端末と、該携帯端末と通信可能に構成された受信サーバーと、顧客との取引を実行する自動取引装置と、前記受信サーバーおよび前記自動取引装置と接続する生体認証サーバーと、前記受信サーバーおよび前記自動取引装置と接続する取引情報サーバーとを備え、前記携帯端末は、前記取引の取引情報の入力を受付ける手段と、顧客の身体的特徴を示す生体情報を取得する手段と、前記入力された取引情報と取得した生体情報とを前記受信サーバーへ送信する手段とを備え、前記受信サーバーは、前記携帯端末からの前記取引情報と生体情報とを受信する手段と、前記取引情報と生体情報とを受信したときに、取引ＩＤを採番する手段と、該採番した取引ＩＤを前記受信した取引情報に関連させて前記取引情報サーバーに送信する手段と、前記取引ＩＤを前記生体情報に関連させて前記生体認証サーバーに送信する手段とを備え、前記生体認証サーバーは、前記受信サーバーからの前記生体情報と取引ＩＤとを受信する手段と、該受信した生体情報と取引ＩＤとを記憶する手段と、前記自動取引装置からの生体情報を受信する手段と、該受信した生体情報をもとに前記記憶した生体情報を検索して該当する生体情報を抽出する手段と、該抽出した生体情報に関連する取引ＩＤを前記自動取引装置に送信する手段とを備え、前記取引情報サーバーは、前記受信サーバーからの前記取引情報と取引ＩＤとを受信する手段と、該受信した取引情報をもとに、その取引の実行の可否情報を取得する手段と、該取得した可否情報を前記取引ＩＤとに関連させて記憶する手段と、前記自動取引装置からの取引ＩＤを受信する手段と、該受信した取引ＩＤをもとに前記記憶した取引ＩＤを検索して該当する取引ＩＤを抽出する手段と、該抽出した取引ＩＤに関連する取引情報と可否情報とを前記自動取引装置に送信する手段とを備え、前記自動取引装置は、顧客の生体情報を取得する手段と、該取得した生体情報を前記生体認証サーバーに送信する手段と、前記生体認証サーバーからの前記取引ＩＤを受信する手段と、該受信した取引ＩＤを前記取引情報サーバーに送信する手段と、前記取引情報サーバーからの前記取引情報と可否情報とを受信する手段とを備えることを特徴とする。
【発明の効果】
【０００８】
このように、本発明は、顧客の携帯端末から送信された生体情報と取引情報とを受信サーバーが受信し、この受信のときに採番した取引ＩＤと生体情報とを生体認証サーバーに送信して記憶させ、取引ＩＤと取引情報とを取引情報サーバーに送信して記憶させておき、自動取引装置が顧客から顧客確認のための生体情報だけを取得してその生体情報を生体認証サーバーに送ってその生体情報に関連づけられた取引ＩＤを取得し、この取引ＩＤを取引情報サーバーに送って取引ＩＤに関連づけられた取引情報を取得し、この取引情報に従って取引処理を実行するので、取引予約後に顧客になりすました第３者によって不正に現金が引出されてしまうことを防止することができるという効果が得られる。
【発明を実施するための最良の形態】
【０００９】
以下に、図面を参照して本発明による現金自動取引システムの実施例について説明する。
【実施例１】
【００１０】
図１は実施例１の現金自動取引システムを示すブロック図、図２は実施例１の携帯電話を示すブロック図、図３は実施例１の受信サーバーを示すブロック図、図４は実施例１の取引情報サーバーを示すブロック図、図５は実施例１の生体認証サーバーを示すブロック図、図６は実施例１の現金自動預払機を示すブロック図である。
図１において、１は現金自動取引システムであり、金融機関の店舗に設置されて顧客の携帯端末としての携帯電話２と通信を行う受信サーバー３、店舗に設置されて顧客の口座番号や取引内容、必要に応じて取引金額等の取引情報を管理する取引情報サーバー４、店舗に設置されて顧客の身体的特徴を示す生体情報としての指紋情報を管理する生体認証サーバー５、店舗に設置されて顧客との間で現金の取引を自動で行う自動取引装置としての現金自動預払機６、センタに設置されて取引情報サーバー４と専用回線や電話回線等の通信回線を介して接続し、顧客の口座の口座番号や口座残高等の顧客情報を保有して顧客の口座を管理するホストコンピュータ７とにより構成される。
【００１１】
図２において、２０は携帯電話２の携帯制御部であり、携帯電話２の各部の制御を行うと共に、携帯通信手段２１によって赤外線等によるデータ通信等も制御する。
２２は携帯記憶部であり、携帯制御部２０が実行するプログラムやそれに用いる各種のデータおよび携帯制御部２０による処理結果等が格納される。
２３は携帯生体情報検出部であり、顧客が指で触れたときに生体情報としての指紋を検出する機能を有する。
【００１２】
２４は携帯表示部であり、取引予約を行うための入力画面等を表示する。
２５は携帯操作部であり、携帯表示部２４に表示された入力画面に情報を入力するための操作キーを有する。
図３において、３０は受信サーバ−３の受信サーバー制御部であり、受信サーバー３の各部の制御を行うと共に、受信サーバー通信手段３１によって携帯電話２との間で赤外線等によるデータ通信等も制御する。
【００１３】
３２は受信サーバー記憶部であり、受信サーバー制御部３０が実行するプログラムやそれに用いる各種のデータおよび受信サーバー制御部３０による処理結果等が格納される。
図４において、４０は取引情報サーバー４の取引情報サーバー制御部であり、取引情報サーバー４の各部の制御を行うと共に、取引情報通信手段４１によって受信サーバー３と接続してデータ通信等も制御する。
【００１４】
４２は取引情報サーバー記憶部であり、顧客の取引情報を記憶しておくための取引情報データベース４３を有し、取引情報サーバー制御部４０が実行するプログラムやそれに用いる各種のデータおよび取引情報サーバー制御部４０による処理結果等が格納される。
図５において、５０は生体認証サーバー５の生体認証サーバー制御部であり、生体認証サーバー５の各部の制御を行うと共に、生体情報通信手段５１によって受信サーバー３や現金自動預払機６と接続してデータ通信等も制御する。
【００１５】
５２は生体認証サーバー記憶部であり、顧客の指紋情報を記憶しておくための生体情報データベース５３を有し、生体認証サーバー制御部５０が実行するプログラムやそれに用いる各種のデータおよび生体認証サーバー制御部５０により処理結果等が格納される。
５４は生体情報認証手段であり、現金自動預払機６から送信された顧客の指紋情報をもとに生体情報データベース５３に記憶した指紋情報を検索して送信された指紋情報を認証する機能を有する。
【００１６】
図６において、６０は現金自動預払機６のＡＴＭ制御部であり、現金自動預払機６の各部の動作を制御して取引処理等を実行すると共に、ＡＴＭ通信部６１を介して取引情報サーバー４および生体認証サーバー５と接続してデータ通信等も制御する。
６２はＡＴＭ記憶部であり、ＡＴＭ制御部６０が実行するプログラムやそれに用いる各種のデータおよびＡＴＭ制御部６０による処理結果等が格納される。
【００１７】
６３は現金取扱部であり、現金自動預払機６へ投入された現金の受け入れや、出金する現金の払出し等を行う。
６４はカード取扱部であり、顧客により挿入されたキャッシュカードやクレジットカード等の取引カードの磁気ストライプに記録されている口座番号等のカード情報を読み書きする機能を有すると共に取引明細票等を印刷する機能を有している。
【００１８】
６５は通帳取扱部であり、顧客により挿入された顧客の通帳の磁気ストライプに記録されている通帳情報を読み書きする機能を有すると共に取引内容等を顧客の通帳に記帳する機能を有している。
６６は表示操作部であり、ＬＣＤ等の表示部６７と透明なタッチパネル等の位置信号検出部６８との組合せで構成されており、表示部６７に取引選択画面や各種の入力画面、顧客の処置を促す画面等を表示する一方、位置信号検出部６８により顧客の指触位置を検出して入力を受付ける。
【００１９】
６９はＡＴＭ生体情報検出部としての指紋検出部であり、顧客が指の腹で触れたときにその指紋を検出する。
上記の携帯電話２の携帯記憶部２２には、顧客の口座番号を格納すると共に、顧客が携帯操作部２５によって入力した取引種別と必要に応じて入力した取引金額とに格納している口座番号を添付して作成した取引情報と、携帯生体情報検出部２３によって検出して取得した指紋情報とを受信サーバー３に送信する取引通信処理を実行するためのアプリケーションプログラムが格納されており、携帯制御部２０と取引通信処理を実行するためのアプリケーションプログラムとの各ステップにより携帯電話２のハードウェアとしての各種の機能手段が形成される。
【００２０】
上記の受信サーバー３の受信サーバー記憶部３２には、取引ＩＤを採番する機能および携帯電話２からの取引情報を取引情報サーバー４に送信し、携帯電話２からの指紋情報を生体認証サーバー５に送信する等の各種の通信業務処理を実行する機能等を有する通信業務処理実行プログラムが格納されており、受信サーバー制御部３０と通信業務処理実行プログラムとの各ステップにより受信サーバー３のハードウェアとしての各種の機能手段が形成される。
【００２１】
上記の取引情報サーバー４の取引情報サーバー記憶部４２には、受信サーバー３から送信された取引情報と取引ＩＤとを関連させて記憶し、現金自動預払機６からの取引ＩＤによる問合せに応じてその取引情報を送信する等の取引業務処理を実行する機能を有する取引情報業務処理実行プログラムが格納されており、取引情報サーバー制御部４０と取引情報業務処理実行プログラムとの各ステップにより取引情報サーバー４のハードウェアとしての各種の機能手段が形成される。
【００２２】
上記の生体認証サーバー５の生体認証サーバー記憶部５２には、受信サーバー３から送信された指紋情報と取引ＩＤとを関連させて記憶し、現金自動預払機６からの指紋情報による問合せに応じてその取引ＩＤを送信する機能を有する生体情報業務処理を実行する機能を有する生体情報業務処理実行プログラムが格納されており、生体認証サーバー制御部５０と生体情報処理実行プログラムとの各ステップにより生体認証サーバー５のハードウェアとしての各種の機能手段が形成される。
【００２３】
上記の現金自動預払機６のＡＴＭ記憶部６２には、指紋検出部６９によって取得した指紋情報をもとに生体認証サーバー５と取引情報サーバー４との間で通信して受信した取引情報にもとづいて取引処理を実行するための取引処理実行プログラムが格納されており、ＡＴＭ制御部６０と取引処理実行プログラムとの各ステップにより現金自動預払機６のハードウェアとしての各種の機能手段が形成される。
【００２４】
上述した構成の作用について、図７に示す実施例１の取引予約処理を示すフローチャートを用い、Ｓで示すステップに従って説明する。
本実施例においては、顧客は現金自動預払機６との間で出金取引を行うものとして説明する。
Ｓ１、現金自動預払機６を利用するために列に並んでいる顧客は、携帯電話２の取引通信処理を実行するためのアプリケーションプログラムを起動し、携帯操作部２５によって取引種別としての出金取引および出金金額を入力し、指の腹で携帯生体情報検出部２３に触れて自身の指紋を入力する。この出金取引と出金金額、指紋の入力を受付けた携帯電話２の携帯制御部２０は入力された出金取引と出金金額に携帯記憶部２２に格納している口座番号を添付して取引情報を作成すると共に、携帯生体情報検出部２３によって指紋を検出して指紋情報を取得する。
【００２５】
Ｓ２、顧客が携帯電話２を受信サーバー３に向けたまま、携帯操作部２５で赤外線によるデータ通信のための操作を行うと、携帯制御部２０は携帯通信手段２１によって取引情報と指紋情報とを受信サーバー３に送信する。
取引情報と指紋情報とを受信した受信サーバー３の受信サーバー制御部３０は、取引ＩＤを採番し、受信した取引情報と採番した取引ＩＤとを取引情報サーバー４に送信すると共に、受信した指紋情報と採番した取引ＩＤとを生体認証サーバー５に送信する。
【００２６】
Ｓ３、生体認証サーバー５の生体認証サーバー制御部５０は、生体情報通信手段５１によって受信した指紋情報と取引ＩＤとを関連させて生体認証サーバー記憶部５２の生体情報データベース５３に記憶する。
Ｓ４、取引情報サーバー４の取引情報サーバー制御部４０は、取引情報通信手段４１によって受信した取引情報と取引ＩＤとを関連させて取引情報サーバー記憶部４２の取引情報データベース４３に記憶し、受信した取引情報にもとづいてホストコンピュータ７との間で出金取引処理を実行する。
【００２７】
つまり、取引情報サーバー制御部４０は受信した取引情報を添付した取引認証依頼をホストコンピュータ７に送信する。
取引認証依頼を受信したホストコンピュータ７は、取引情報に添付された口座番号をもとに保有している顧客情報を検索し、該当する顧客情報の口座残高と取引情報の出金金額とを比較して取引が可能であることを判定してその取引を認証し、顧客の口座残高から出金金額を減じて顧客情報を更新する。
【００２８】
そして、ホストコンピュータ７はその出金取引における取引内容や口座番号等で構成された取引履歴を作成し、履歴番号を付して記憶すると共に、取引許可の旨の可否情報に口座番号と履歴番号とを添付した取引可否通知を取引情報サーバー４に送信する。
なお、取引認証依頼を受信したホストコンピュータ７が、顧客情報の口座残高が不足している等により取引が不可であると判定したときは、取引不可の旨の可否情報に口座番号を添付した取引可否通知を取引情報サーバー４に送信する。
【００２９】
Ｓ５、取引情報サーバー４の取引情報サーバー制御部４０は、取引情報通信手段４１によって受信した取引可否通知の口座番号から取引情報データベース４３の取引情報を検索し、該当する口座番号の取引情報に取引可否通知の履歴番号および可否情報を関連づけて記憶する。
これにより取引予約処理が終了する。
【００３０】
次に図８に示す実施例１の現金自動取引システムの動作を示すフローチャートを用い、上述した取引予約をした顧客に対する取引処理の動作をＳＡで示すステップに従って説明する。
ＳＡ１、現金自動預払機６のＡＴＭ制御部６０は、表示操作部６６に取引選択画面を表示して待機し、列に並んでいて順番が回ってきた顧客が表示されている取引選択画面から予約取引の選択キーに触れると、ＡＴＭ制御部６０は位置信号検出部６８によりこれを検出して表示操作部６６に指の腹で指紋検出部６９に触れることを促す案内画面を表示する。
【００３１】
ＳＡ２、ＡＴＭ制御部６０は、指紋検出部６９に触れた顧客の指の腹から指紋を検出し、検出した指紋から取得した指紋情報を生体認証サーバー５に送信する。
ＳＡ３、生体情報通信手段５１によって指紋情報を受信した生体認証サーバー制御部５０は、生体情報認証手段５４によって受信した指紋情報から生体情報データベース５３に記憶した指紋情報を検索して該当する指紋情報に関連する取引ＩＤを抽出し、抽出した取引ＩＤを現金自動預払機６に送信する。
【００３２】
ＳＡ４、現金自動預払機６のＡＴＭ制御部６０は、ＡＴＭ通信部６１によって受信した取引ＩＤを取引情報サーバー４に送信する。
ＳＡ５、取引情報通信手段４１によって取引ＩＤを受信した取引情報サーバー制御部４０は、受信した取引ＩＤをもとに取引情報データベース４３を検索し、該当する取引ＩＤに関連づけて記憶されている取引情報と可否情報を抽出し、抽出した取引情報と可否情報を現金自動預払機６に送信する。
【００３３】
ＳＡ６、現金自動預払機６のＡＴＭ制御部６０は、ＡＴＭ通信部６１により受信した可否情報によって取引許可の旨を認識して受信した取引情報にもとづいて現金取扱部６３によって現金を顧客に払出し、カード取扱部６４によって取引明細票を発行して顧客との取引を終了する。
以上説明したように、本実施例では、顧客の携帯電話から送信された指紋情報と取引情報とを受信サーバーが受信し、この受信のときに採番した取引ＩＤと指紋情報とを生体認証サーバーに送信して記憶させ、取引ＩＤと取引情報とを取引情報サーバーに送信して記憶させておき、現金自動預払機が顧客から顧客確認のための指紋情報だけを取得してその指紋情報を生体認証サーバーに送ってその指紋情報に関連づけられた取引ＩＤを取得し、この取引ＩＤを取引情報サーバーに送って取引ＩＤに関連づけられた取引情報を取得し、この取引情報に従って取引処理を実行するので、取引予約後に顧客になりすました第３者によって不正に現金が引出されてしまうことを防止することができる。
【００３４】
また、現金自動預払機を利用する顧客の指紋情報だけで顧客を確認して取引予約の内容にもとづいて取引処理を行うので、顧客確認を取引番号やパスワード等の入力とした場合よりも顧客が現金自動預払機を操作する時間を短くすることができ、取引時間を短縮させることができると共に、取引予約後に顧客が携帯電話を紛失して第３者がその携帯電話を拾って不正に現金を引出してしまうことを防止することができる。
【００３５】
また、取引情報サーバーが受信サーバーから取引情報を受信したときに、ホストコンピュータとの間で受信した取引情報にもとづいて取引処理を実行するので、顧客が現金自動預払機を利用したときの取引時間を短縮して現金自動預払機の稼動効率を向上させることができる。
なお、上記実施例１においては、赤外線によるデータ通信によって携帯電話から受信サーバーへ取引情報と指紋情報とを送信した場合について説明したが、携帯電話に非接触式ＩＣチップを備え、受信サーバーに非接触式ＩＣチップの情報を読み書きする機能を備えるようにした場合に適用しても上記と同様の効果を得ることができる。
【実施例２】
【００３６】
図９は実施例２の携帯電話を示すブロック図、図１０は実施例２の現金自動取引システムを示すブロック図、図１１は実施例２のＷｅｂサーバーを示すブロック図、図１２は実施例２の取引予約サーバーを示すブロック図である。
なお、上記実施例１と同様の部分は、同一の符号を付してその説明を省略する。
図９において、２６は携帯電話２のインターネット通信手段であり、インターネット通信を行うための機能を有する。
【００３７】
図１０、図１１において、８０は金融機関のセンタに設置されたＷｅｂサーバーである。
８１はＷｅｂサーバー制御部であり、Ｗｅｂサーバー８０の各部の制御を行うと共に、Ｗｅｂ通信手段８２によってインターネット通信による携帯電話２とのデータ通信等も制御する。
【００３８】
８３はＷｅｂサーバー記憶部であり、Ｗｅｂサーバー制御部８１が実行するプログラムやそれに用いる各種のデータおよびＷｅｂサーバー制御部８１による処理結果等が格納される。
図１２において、９０は金融機関の店舗に設置された取引予約サーバーである。
９１は取引予約サーバー制御部であり、取引予約サーバー９０の各部の制御を行うと共に、取引予約サーバー通信手段９２によってデータ通信等も制御する。
【００３９】
９３は取引予約サーバー記憶部であり、顧客の取引情報や指紋情報を記憶するための予約情報データベース９４を有し、取引予約サーバー制御部９１が実行するプログラムやそれに用いる各種のデータおよび取引予約サーバー制御部９１による処理結果等が格納される。
９５は生体情報認証手段であり、現金自動預払機６から送信された顧客の指紋情報をもとに予約情報データベースに記憶した指紋情報を検索し、送信された指紋情報を認証する機能を有する。
【００４０】
本実施例の携帯電話２の携帯記憶部２２には、上記実施例１の取引通信処理を実行するためのアプリケーションプログラムに、取引を行う支店名を入力するためのアプリケーションプログラムを加えた本実施例の取引通信処理を実行するためのアプリケーションプログラムが格納されており、携帯制御部２０と取引通信処理を実行するためのアプリケーションプログラムとの各ステップにより携帯電話２のハードウェアとしての各種の機能手段が形成される。
【００４１】
上記のＷｅｂサーバー８０のＷｅｂサーバー記憶部８３には、携帯電話２からの取引情報と生体情報を取引予約サーバー９０に送信する等の各種の通信業務処理を実行する機能を有する通信業務処理実行プログラムが格納されており、Ｗｅｂサーバー制御部８１と通信業務処理実行プログラムとの各ステップによりＷｅｂサーバー８０のハードウェアとしての各種の機能手段が形成される。
【００４２】
上記の取引予約サーバー９０の取引予約サーバー記憶部９３には、Ｗｅｂサーバー８０から送信された取引情報と生体情報とを関連させて記憶し、現金自動預払機６からの指紋情報による問合せに応じてその指紋情報に関連する取引情報を送信する機能を有する取引予約処理実行プログラムが格納されており、取引予約サーバー制御部９１と取引予約処理実行プログラムとの各ステップにより取引予約サーバー９０のハードウェアとしての各種の機能手段が形成される。
【００４３】
上述した構成の作用について、図１３に示す実施例２の取引予約処理を示すフローチャートを用い、ＳＢで示すステップに従って説明する。
本実施例は、上記実施例１の受信サーバー３と同様の機能をＷｅｂサーバー８０に受け持たせ、取引情報サーバー４と生体認証サーバー５を統合した機能を取引予約サーバー９０に受け持たせたものである。
【００４４】
ＳＢ１、顧客は携帯電話２の取引通信処理を実行するためのアプリケーションプログラムを起動し、携帯操作部２５によって取引種別としての出金取引および出金金額と取引を行う支店名を入力し、指の腹で携帯生体情報検出部２３に触れて自身の指紋を入力する。この出金取引と出金金額、支店名、指紋の入力を受付けた携帯電話２の携帯制御部２０は、入力された出金取引と出金金額に携帯記憶部２２に格納している口座番号を加えた取引情報に、入力された支店名と携帯生体情報検出部２３によって取得した指紋情報とを加えた予約情報を作成する。
【００４５】
ＳＢ２、顧客が携帯操作部２５によって予約情報をインターネット通信で送信するための操作を行うと、これを認識した携帯制御部２０はインターネット通信手段２６によって予約情報をＷｅｂサーバー８０に送信する。
Ｗｅｂ通信手段８２によって予約情報を受信したＷｅｂサーバー８０のＷｅｂサーバー制御部８１は、受信した予約情報の支店名を認識し、その支店に設置された取引予約サーバー９０に予約情報の取引情報と指紋情報を送信する。
【００４６】
ＳＢ３、取引予約サーバー９０の取引予約サーバー制御部９１は、取引予約サーバー通信手段９２によって受信した取引情報と指紋情報とを関連させて取引予約サーバー記憶部９３の予約情報データベース９４に記憶し、受信した取引情報にもとづいてホストコンピュータ７との間で出金取引処理を実行する。
つまり、取引予約サーバー制御部９１は受信した取引情報を添付した取引認証依頼をホストコンピュータ７に送信する。
【００４７】
取引認証依頼を受信したホストコンピュータ７は、取引情報に添付された口座番号をもとに保有している顧客情報を検索し、該当する顧客情報の口座残高と取引情報の出金金額とを比較して取引が可能であることを判定してその取引を認証し、顧客の口座残高から出金金額を減じて顧客情報を更新する。
そして、ホストコンピュータ７はその出金取引における取引内容や口座番号等で構成された取引履歴を作成し、履歴番号を付して記憶すると共に、取引許可の旨の可否情報に口座番号と履歴番号とを添付した取引可否通知を取引予約サーバー９０に送信する。
【００４８】
なお、取引認証依頼を受信したホストコンピュータ７が、顧客情報の口座残高が不足している等により取引が不可であると判定したときは、取引不可の旨の可否情報に口座番号を添付した取引可否通知を取引予約サーバー９０に送信する。
ＳＢ４、取引予約サーバー９０の取引予約サーバー制御部９１は、取引予約サーバー通信手段９２によって受信した取引可否通知の口座番号から取引予約サーバー記憶部９３の予約情報データベース９４の指紋情報を検索し、該当する指紋情報に取引可否通知の履歴番号および可否情報を関連づけて記憶する。
【００４９】
これにより取引予約処理が終了する。
次に図１４に示す実施例２の現金自動取引システムの動作を示すフローチャートを用い、上述した取引予約をした顧客に対する取引処理の動作をＳＣで示すステップに従って説明する。
ＳＣ１、現金自動預払機６のＡＴＭ制御部６０は、表示操作部６６に取引選択画面を表示して待機し、顧客が取引選択画面から予約取引の選択キーに触れると、ＡＴＭ制御部６０は位置信号検出部６８によりこれを検出して表示操作部６６に指の腹で指紋検出部６９に触れることを促す案内画面を表示する。
【００５０】
ＳＣ２、ＡＴＭ制御部６０は、指紋検出部６９に触れた顧客の指の腹から指紋を検出し、検出した指紋から取得した指紋情報を取引予約サーバー９０に送信する。
ＳＣ３、取引予約サーバー通信手段９２によって指紋情報を受信した取引予約サーバー制御部９１は、生体情報認証手段９５によって受信した指紋情報から予約情報データベース９４に記憶した指紋情報を検索して該当する指紋情報に関連する取引情報と可否情報を抽出し、抽出した取引情報と可否情報を現金自動預払機６に送信する。
【００５１】
ＳＣ４、現金自動預払機６のＡＴＭ制御部６０は、ＡＴＭ通信部６１により受信した可否情報によって取引許可の旨を認識して受信した取引情報にもとづいて現金取扱部６３によって現金を顧客に払出し、カード取扱部６４によって取引明細票を発行して顧客との取引を終了する。
以上説明したように、本実施例では、顧客の携帯電話から送信された指紋情報と取引情報とをＷｅｂサーバーが受信し、受信した取引情報と指紋情報を取引予約サーバーに送信して記憶させておき、現金自動預払機が顧客から顧客確認のための指紋情報だけを取得してその指紋情報を取引予約サーバーに送ってその指紋情報に関連づけられた取引情報を取得し、この取引情報に従って取引処理を実行するので、取引予約後に顧客になりすました第３者によって不正に現金が引出されてしまうことを防止することができる。
【００５２】
また、インターネット通信で携帯電話からＷｅｂサーバーに取引情報と指紋情報とを送信するため、携帯電話でインターネット通信を行える場所ならどこでも利用できるので、利便性を向上させることができる。
また、取引予約サーバーを設置して予約情報データベースに取引情報と指紋情報を記憶することにより、取引予約サーバーが現金自動預払機からの指紋情報に関連する取引情報と可否情報を検索して送信するまでの時間が上記実施例１の取引情報サーバーと生体情報サーバーを設置した場合に比べて短くなるので、これによって取引時間をさらに短縮することができる。
【実施例３】
【００５３】
本実施例の現金自動取引システムの構成は上記実施例１と同様であるのでその説明を省略する。
なお、上記実施例１と同様の部分は、同一の符号を付してその説明を省略する。
本実施例の現金自動預払機６のＡＴＭ記憶部６２には、上記実施例１の取引処理実行プログラムに、指紋取得部６９によって取得した指紋情報に顧客の取引カードの情報を添付するためのアプリケーションプログラムを加えた本実施例の取引処理実行プログラムを格納しており、ＡＴＭ制御部６０と取引処理実行プログラムとの各ステップにより現金自動預払機６のハードウェアとしての各種の機能手段が形成される。
【００５４】
上述した構成の作用について、図１５に示す実施例３の取引予約処理を示すフローチャートを用い、ＳＤで示すステップに従って説明する。
ＳＤ１、現金自動預払機６を利用するために列に並んでいる顧客は、携帯電話２の取引通信処理を実行するためのアプリケーションプログラムを起動し、携帯操作部２５によって取引種別としての出金取引および出金金額を入力し、指の腹で携帯生体情報検出部２３に触れて自身の指紋を入力する。この出金取引と出金金額、指紋の入力を受付けた携帯電話２の携帯制御部２０は入力された出金取引と出金金額に携帯記憶部２２に格納している口座番号を添付して取引情報を作成すると共に、携帯生体情報検出部２３によって取得した指紋情報に格納している口座番号を添付する。
【００５５】
ＳＤ２、顧客が携帯電話２を受信サーバー３に向けたまま、携帯操作部２５で赤外線によるデータ通信のための操作を行うと、これを認識した携帯制御部２０は携帯通信手段２１によって取引情報と指紋情報、口座番号を受信サーバー３に送信する。
取引情報と指紋情報、口座番号を受信した受信サーバー３の受信サーバー制御部３０は、取引ＩＤを採番し、受信した取引情報と採番した取引ＩＤとを取引情報サーバー４に送信すると共に、受信した指紋情報と口座番号、採番した取引ＩＤを生体認証サーバー５に送信する。
【００５６】
ＳＤ３、生体認証サーバー５の生体認証サーバー制御部５０は、生体情報通信手段５１によって受信した指紋情報に口座番号と取引ＩＤとを関連させて生体認証サーバー記憶部５２の生体情報データベース５３に記憶する。
本実施例のステップＳＤ４からＳＤ５までの動作は上記実施例１のステップＳ４からステップＳ５までの動作と同様であるのでその説明を省略する。
【００５７】
これにより取引予約処理が終了する。
次に図１６に示す実施例３の現金自動取引システムの動作を示すフローチャートを用い、上述した取引予約をした顧客に対する取引処理の動作をＳＥで示すステップに従って説明する。
ＳＥ１、現金自動預払機６のＡＴＭ制御部６０は、表示操作部６６に取引選択画面を表示して待機し、列に並んでいて順番が回ってきた顧客が表示されている取引選択画面から予約取引の選択キーに触れると、ＡＴＭ制御部６０は位置信号検出部６８によりこれを検出して表示操作部６６にカード取扱部６４に顧客の取引カードの挿入および指の腹で指紋検出部６９に触れることを促す案内画面を表示する。
【００５８】
ＳＥ２、ＡＴＭ制御部６０は、カード取扱部６４によって挿入された取引カードから顧客の口座番号を読み取り、指紋検出部６９に触れた顧客の指の腹から指紋を検出してその指紋情報を取得し、読み取った口座番号と取得した指紋情報とを生体認証サーバー５に送信する。
ＳＥ３、生体情報通信手段５１によって口座番号と指紋情報とを受信した生体認証サーバー制御部５０は、受信した口座番号から生体情報データベース５３に記憶した口座番号を検索し、該当する口座番号に関連する指紋情報を抽出し、生体情報認証手段５４によって抽出した指紋情報と受信した指紋情報とを比較して一致することを確認して認証し、抽出した指紋情報に関連する取引ＩＤを現金自動預払機６に送信する。
【００５９】
本実施例のステップＳＥ４からステップＳＥ６までの動作は上記実施例１のステップＳＡ４からＳＡ６までの動作と同様であるのでその説明を省略する。
以上説明したように、本実施例では、実施例１と同様の効果に加えて、生体認証サーバーに指紋情報と口座番号とを記憶させ、現金自動預払機で取得した指紋情報と口座番号を生体認証サーバーに送り、生体認証サーバーが顧客確認のために受信した指紋情報と口座番号が記憶した指紋情報と口座番号と一致するかを判定するようにしたので、取引予約前に顧客が携帯電話を紛失しても、現金自動預払機で口座番号が取得できないと取引を行なえないため、第３者がその携帯電話を拾って不正に現金を引出してしまうことを防止することができる。
【００６０】
また、上記実施例１と同様に顧客確認のために生体情報を用いているので、取引予約後に顧客になりすました第３者によって不正に現金が引出されてしまうことを防止することができる。
【実施例４】
【００６１】
本実施例の現金自動取引システム１の構成は上記実施例１と同様であるのでその説明を省略する。
なお、上記実施例１と同様の部分は同一の符号を付してその説明を省略する。
本実施例の取引情報サーバー４の取引情報サーバー記憶部４２は、上記実施例１の取引情報業務処理実行プログラムに、取引情報データベース４３に取引情報を記憶しておく制限時間（例えば、２０分間）と、取引情報を取引情報データベース４３に記憶してからの時間を計測するためのアプリケーションプログラムとを加えた本実施例の取引情報業務処理実行プログラムが格納されており、取引情報サーバー制御部４０と取引情報業務処理実行プログラムとの各ステップにより取引情報サーバー４のハードウェアとしての各種の機能手段が形成される。
【００６２】
本実施例の生体認証サーバー５の生体認証サーバー記憶部５２は、上記実施例１の生体情報処理実行プログラムに、生体情報データベース５３に指紋情報を記憶しておく制限時間（例えば、２０分間）と、指紋情報を生体情報データベース５３に記憶してからの時間を計測するためのアプリケーションプログラムとを加えた本実施例の生体情報処理実行プログラムが格納されており、生体認証サーバー制御部５０と生体情報処理実行プログラムとの各ステップにより生体認証サーバー５のハードウェアとしての各種の機能手段が形成される。
【００６３】
上述した構成の作用について、図１７に示す実施例４の取引予約処理を示すフローチャートを用い、ＳＦで示すステップに従って説明する。
本実施例のステップＳＦ１からステップＳＦ５までの動作は上記実施例１のステップＳ１からＳ５までの動作と同様であるのでその説明を省略する。
次に図１８に示す実施例４の生体認証サーバーの動作を示すフローチャートを用い、ＳＧで示すステップに従って顧客が来店しなかったときの生体認証サーバー５の動作について説明する。
【００６４】
ＳＧ１、生体認証サーバー５の生体認証サーバー制御部５０は、生体認証サーバー記憶部５２の生体情報データベース５３に指紋情報を記憶してからの時間の計測を開始する。
ＳＧ２、生体認証サーバー制御部５０は、計測している時間と生体認証サーバー記憶部５２に格納している制限時間とを比較し、計測している時間が制限時間に達したときに現金自動預払機６から指紋情報を受信していないと判定し、つまり取引予約をした顧客が制限時間内に現金自動預払機６でその取引を行っていないと判定して生体認証サーバー記憶部５２の生体情報データベース５３から該当する指紋情報を消去する。
【００６５】
次に上記の生体認証サーバー５の動作と同時に進行する顧客が来店しなかったときの取引情報サーバー４の動作を、図１９に示す実施例４の取引情報サーバーの動作を示すフローチャートを用い、ＳＨで示すステップに従って説明する。
ＳＨ１、取引情報サーバー４の取引情報サーバー制御部４０は、取引情報サーバー記憶部４２の取引情報データベース４３に取引情報を記憶してからの時間の計測を開始する。
【００６６】
ＳＨ２、取引情報サーバー制御部４０は、計測している時間と取引情報サーバー記憶部４２に格納している制限時間とを比較し、計測している時間が制限時間に達したときに現金自動預払機６から取引ＩＤを受信していないと判定し、つまり取引予約をした顧客が制限時間内に現金自動預払機６でその取引を行っていないと判定してホストコンピュータ７との間で取引取消処理を実行する。
【００６７】
つまり、取引情報サーバー制御部４０は取引情報サーバー記憶部４２の取引情報データベース４３から記憶してからの時間が制限時間を過ぎた取引情報を抽出し、抽出した取引情報に関連する履歴番号を読み出し、取引情報通信手段４１によって読み出した履歴番号をホストコンピュータ７に送信する。
ホストコンピュータ７は、受信した履歴番号をもとに記憶した履歴番号を検索し、該当する履歴番号に関連する取引履歴を抽出し、抽出した取引履歴の口座番号と取引内容を認識し、認識した口座番号をもとに保有している顧客情報の口座残高を読み出す。
【００６８】
そして、ホストコンピュータ７は読み出した口座残高に認識した取引内容の出金金額を加えて顧客の口座残高を取引予約処理前の状態に戻し、取引情報サーバー４に取引取消処理完了通知を送信する。
取引情報通信手段４１によって取引中止処理完了通知を受信した取引情報サーバー制御部４０は、取引情報サーバー記憶部４２の取引情報データベース４３から該当する取引情報を消去する。
【００６９】
以上説明したように、本実施例では、上記実施例１と同様の効果に加えて、取引情報サーバーおよび生体認証サーバーが取引情報または指紋情報を記憶する制限時間を格納し、取引情報または指紋情報を記憶してからの時間を計測してその時間が制限時間に達しても顧客が現金自動預払機で取引を行っていない場合に取引情報および指紋情報を消去するので、自身の指紋情報が金融機関に記憶されて残ることに不快に感じる顧客にとって安心感を与えることができる。
【００７０】
また、ホストコンピュータが管理する顧客の口座残高を取引前の状態に戻すのは、既存のホストコンピュータの機能で実行することができるので、ホストコンピュータの機能を変更すること無く本実施例の現金自動取引システムを利用することができる。
なお、上記実施例１、実施例３および実施例４においては、金融機関の店舗に生体認証サーバーと取引情報サーバーとを設置するとして説明したが、現金自動預払機を１台しか置いていない金融機関の店舗の場合、現金自動預払機と生体認証サーバーとを１つにまとめてＡＴＭ記憶部に生体情報データベースを設けるようにし、顧客が携帯電話で送信した指紋情報と現金自動預払機の生体情報取得部で取得した指紋情報とを現金自動預払機が確認するようにしてもよい。
【００７１】
また、上記実施例１、実施例３および実施例４においては、生体認証サーバーと取引情報サーバーとを用いた現金自動取引システムに適用した場合について説明したが、生体認証サーバーおよび取引情報サーバーを上記実施例２に示す取引予約サーバーに替えて用いるようにしてもよい。
なお、上記各実施例においては、生体情報を指紋情報として説明したが、携帯電話と現金自動預払機に顧客の目を撮影するカメラや静脈を読み取るための生体情報検出部、顧客の声を取得するためのマイク等を設け、顧客の目や虹彩の画像データや静脈紋、声紋等を生体情報として適用してもよい。
【００７２】
また、上記各実施例においては出金取引の場合について説明したが、振込取引等のその他の取引の場合に適用しても同様の効果を得ることができる。
また、上記各実施例においては、携帯端末としての携帯電話を適用した場合について説明したが、ＰＨＳ（Ｐｅｒｓｏｎａｌ  Ｈａｎｄｙ  ｐｈｏｎｅ  Ｓｙｓｔｅｍ）やモバイル端末等に適用した場合も同様の効果を得ることができる。
【００７３】
また、上記各実施例においては、現金自動預払機に適用して説明したが、自動契約機等の自動取引装置に適用してもよい。
【図面の簡単な説明】
【００７４】
【図１】実施例１の現金自動取引システムを示すブロック図
【図２】実施例１の携帯電話を示すブロック図
【図３】実施例１の受信サーバーを示すブロック図
【図４】実施例１の取引情報サーバーを示すブロック図
【図５】実施例１の生体認証サーバーを示すブロック図
【図６】実施例１の現金自動預払機を示すブロック図
【図７】実施例１の取引予約処理を示すフローチャート
【図８】実施例１の現金自動取引システムの動作を示すフローチャート
【図９】実施例２の携帯電話を示すブロック図
【図１０】実施例２の現金自動取引システムを示すブロック図
【図１１】実施例２のＷｅｂサーバーを示すブロック図
【図１２】実施例２の取引予約サーバーを示すブロック図
【図１３】実施例２の取引予約処理を示すフローチャート
【図１４】実施例２の現金自動取引システムの動作を示すフローチャート
【図１５】実施例３の取引予約処理を示すフローチャート
【図１６】実施例３の現金自動取引システムの動作を示すフローチャート
【図１７】実施例４の取引予約処理を示すフローチャート
【図１８】実施例４の取引予約処理の動作を示すフローチャート
【図１９】実施例４の現金自動取引システムの動作を示すフローチャート
【符号の説明】
【００７５】
１    現金自動取引システム
２    携帯端末
３    受信サーバー
４    取引情報サーバー
５    生体認証サーバー
６    現金自動預払機
７    ホストコンピュータ
２０  携帯制御部
２１  携帯通信手段
２２  携帯記憶部
２３  携帯生体情報検出部
２４  携帯表示部
２５  携帯操作部
２６  インターネット通信手段
３０  受信サーバー制御部
３１  受信サーバー通信手段
３２  受信サーバー記憶部
４０  取引情報サーバー制御部
４１  取引情報通信手段
４２  取引情報サーバー記憶部
４３  取引情報データベース
５０  生体認証サーバー制御部
５１  生体情報通信手段
５２  生体認証サーバー記憶部
５３  生体情報データベース
５４、９５  生体情報認証手段
６０  ＡＴＭ制御部
６１  ＡＴＭ通信部
６２  ＡＴＭ記憶部
６３  現金取扱部
６４  カード取扱部
６５  通帳取扱部
６６  表示操作部
６７  表示部
６８  位置信号検出部
６９  指紋取得部
８０  Ｗｅｂサーバー
８１  Ｗｅｂサーバー制御部
８２  Ｗｅｂ通信手段
８３  Ｗｅｂサーバー記憶部
９０  取引予約サーバー
９１  取引予約サーバー制御部
９２  取引予約サーバー通信手段
９３  取引予約サーバー記憶部
９４  予約情報データベース
【図１】
2007052687.tif 000003
【図２】
2007052687.tif 000004
【図３】
2007052687.tif 000005
【図４】
2007052687.tif 000006
【図５】
2007052687.tif 000007
【図６】
2007052687.tif 000008
【図７】
2007052687.tif 000009
【図８】
2007052687.tif 000010
【図９】
2007052687.tif 000011
【図１０】
2007052687.tif 000012
【図１１】
2007052687.tif 000013
【図１２】
2007052687.tif 000014
【図１３】
2007052687.tif 000015
【図１４】
2007052687.tif 000016
【図１５】
2007052687.tif 000017
【図１６】
2007052687.tif 000018
【図１７】
2007052687.tif 000019
【図１８】
2007052687.tif 000020
【図１９】
2007052687.tif 000021